(57)【要約】【課題】  スピーカの音響振動の影響をアンプ側が受けないようにした状態でアンプユニットとスピーカユニットとを一体化させることができるにもかかわらず、優れた可搬性も実現することができる音響再生装置を提供する。【解決手段】  音響再生装置１１において、スピーカボックス１３には、アンプボックス３３の上下方向に穿設されている貫通孔３７に遊挿されて水平支持面Ｆに当接支持される複数の長寸支脚１９が垂設されており、アンプボックス３３には、スピーカボックス１３が長寸支脚１９を介して支持された際に、当該アンプボックス３３の上面３４とスピーカボックス１３の下面１５との間に空隙Ｓが確保される長さが付与されて水平支持面Ｆに当接支持される複数の短寸支脚３９が垂設されており、少なくとも２本以上の長寸支脚１９には、貫通孔３７の下方に位置する部位に抜脱阻止片２０が付設されている。【選択図】  図１
2007259152.tif 000002
【特許請求の範囲】
【請求項１】
スピーカボックスの内部に所要のスピーカユニットを収容してなるフィールドコイル型のスピーカと、
アンプボックスの内部に所要のアンプユニットを収容して前記スピーカの下方に配設されるアンプとを備え、
前記スピーカボックスには、前記アンプボックスの上下方向に各別に穿設されている貫通孔に遊挿されて水平支持面に当接支持される少なくとも３本の長寸支脚が垂設されており、
前記アンプボックスには、前記スピーカボックスが前記長寸支脚を介して支持された際に、当該アンプボックスの上面と前記スピーカボックスの下面との間に空隙が確保される長さが付与されて前記水平支持面に当接支持される少なくとも３本の短寸支脚が垂設されており、
前記スピーカボックスに設けられる少なくとも２本以上の前記長寸支脚には、前記貫通孔の下方に位置する部位に抜脱阻止片が付設されていること
を特徴とする音響再生装置。
【請求項２】
前記スピーカボックスに設けられる前記長寸支脚のうちの１本は、前記スピーカの重心位置を含む近傍領域の直下に垂設されていること
を特徴とする請求項１記載の音響再生装置。
【請求項３】
前記アンプユニット側から前記スピーカユニット側へと引き出される所要本数からなるケーブルのうちの一部は、前記スピーカボックスに設けられる前記長寸支脚の内部に挿通されて前記スピーカへと引き込まれていること
を特徴とする請求項１又は請求項２記載の音響再生装置。
【請求項４】
前記スピーカには、前記アンプとともに傾倒させてその位置を移動する際に用いる車輪が、その設置時には前記水平支持面から浮いた状態となるように前記スピーカボックス側から延設された支腕部に当該支腕部の長さ方向と直交する周方向と位置移動方向とへ向けての回転を自在に軸支されていること
を特徴とする請求項１乃至請求項３のうちいずれか１項記載の音響再生装置。
【請求項５】
前記貫通孔の内周面には、振動絶縁層が形成されていること
を特徴とする請求項１乃至請求項４のうちいずれか１項記載の音響再生装置。
【請求項６】
前記スピーカが備える前記スピーカユニットは、フィールドコイルによるボイスコイルの磁気ギャップへの磁束供給が可能に形成されており、
前記アンプが備える前記アンプユニットは、少なくとも、電源回路と、当該電源回路から給電される定常的動作電流で動作しているアンプ回路とを有し、
前記電源回路から給電される前記アンプ回路の動作電流は、励磁用電流に代わる前記フィールドコイルを励磁させるための電流としても供給されること
を特徴とする請求項１乃至請求項５のうちいずれか１項記載の音響再生装置。
【請求項７】
前記電源回路は、直流電流から交流成分を除去する大容量電解コンデンサからなる平滑回路を有し、
前記大容量電解コンデンサには、少なくとも１０Ω以下の抵抗が接続されていること
を特徴とする請求項６記載の音響再生装置。
【発明の詳細な説明】
【技術分野】
【０００１】
本発明は、各別に形成されたスピーカとアンプとを、フィールドコイル型のスピーカユニット側の振動がアンプユニット側に伝達されることがないように一体化させた音響再生装置に関する。なお、本明細書において、フィールドコイル型とは、永久磁石にコイルを巻回したものも含む概念である。
【背景技術】
【０００２】
音響再生装置としては、スピーカとアンプとを一体型のボディ内部に収容して形成されたものがある（例えば、特許文献１等参照。）。
【０００３】
【特許文献１】特開２００４−２５８５２９号公報
【０００４】
具体的には、この特許文献１には、特定の行き先に向かって自動走行させ、その行き先にてカラオケの使用を可能とすることにより、利用者の利便を高めた自動走行型カラオケ装置が開示されている。
【０００５】
また、他の音響再生装置としては、スピーカユニットとアンプユニットとを含む必要機器を全て同じ筐体内に収容して位置移動させることができるようにした可搬型カラオケ装置も提案されている（例えば、特許文献２等参照。）。
【０００６】
【特許文献１】特開平１０−７８７８０号公報
【０００７】
一方、音響再生装置としては、スピーカが備えるスピーカユニットが永久磁石型のものではなく、フィールドコイル型（電磁石型）のものを用いたものも提案されている。この場合、音響再生装置においては、通常、フィールドコイルのための駆動電源として、励磁用電源（エキサイタ電源）がアンプ電源とは別個に必要となる。
【０００８】
また、従来からあるフィールドコイル型（電磁石型）のスピーカユニットを用いた音響再生装置の中には、電源の平滑回路のチョークコイルをフィールドコイルに使用するものもあった。
【発明の開示】
【発明が解決しようとする課題】
【０００９】
ところで、上述した特許文献１に開示されている自動走行型カラオケ装置においては、スピーカとアンプとが一体型のボディ内部に収容されていることから、スピーカの音響振動がアンプ側に伝達し、当該アンプに望ましくない影響を与えるという問題があった。
【００１０】
また、上述した特許文献２に開示されている可搬型カラオケ装置は、外観が美しく、可搬性にも優れているものの、特許文献１に開示されている技術と同様に、スピーカの音響振動アンプ側に伝達し、当該アンプに望ましくない影響を与えるという問題を依然として解消できず、オーディオ装置のように音質が特に重要となる音響再生装置には適用することができないという問題があった。
【００１１】
一方、フィールドコイル型のスピーカユニットを備えた音響再生装置においては、スピーカ、アンプ及び励磁用電源の３つの独立した部材に分割される結果、ケーブルの引き回しを含めた装置構成の複雑化を招来するという問題があった。
【００１２】
また、フィールドコイル型のスピーカユニットを備えた音響再生装置においては、そのほとんどがアンプユニットとしてＡ級アンプ回路を用いているが、この場合には、出力トランジスタに常時電流が流された状態となることから、無駄な電力消費が多いという問題もあった。
【００１３】
さらに、従来の真空管方式を採用した音響再生装置においては、専用電源に代えて平滑チョークコイル側の電源によってフィールドコイルを励磁させるようにしたものも存在するが、せいぜい１０μＦ程度の容量を有するコンデンサを使用していることから、ハム音が増大するという問題があった。
【００１４】
さらにまた、従来の真空管方式を採用したフィールドコイル型のスピーカユニットを備えた音響再生装置においては、動作電流が少なくフィールドコイルには細い銅線を多量に巻回することによって巻線のインピーダンスが高くなるため、磁力が弱く、高音質を得ることができないという問題もあった。従来から存在するかかる真空管方式を採用したフィールドコイル型のスピーカユニットは、強力な永久磁石が高価であることに起因した次善の策としていたものであり、高音質を望むものではなかった。
【００１５】
本発明は、このような実情に鑑みてなされたものであり、「従来の永久磁石型スピーカに劣るフィールドコイル型スピーカ」という認識を払拭した「永久磁石型スピーカを超えるフィールドコイル型スピーカ」を実現し、スピーカの音響振動の影響をアンプ側が受けないようにした状態でアンプユニットとスピーカユニットとを一体化させることができるにもかかわらず、優れた可搬性も実現することができ、さらには、無駄な電力消費を抑制するとともに、ハム音を減少させた高音質の再生を実現することができる音響再生装置を提供することを目的とする。
【課題を解決するための手段】
【００１６】
上述した目的を達成する本発明にかかる音響再生装置は、スピーカボックスの内部に所要のスピーカユニットを収容してなるフィールドコイル型のスピーカと、アンプボックスの内部に所要のアンプユニットを収容して前記スピーカの下方に配設されるアンプとを備え、前記スピーカボックスには、前記アンプボックスの上下方向に各別に穿設されている貫通孔に遊挿されて水平支持面に当接支持される少なくとも３本の長寸支脚が垂設されており、前記アンプボックスには、前記スピーカボックスが前記長寸支脚を介して支持された際に、当該アンプボックスの上面と前記スピーカボックスの下面との間に空隙が確保される長さが付与されて前記水平支持面に当接支持される少なくとも３本の短寸支脚が垂設されており、前記スピーカボックスに設けられる少なくとも２本以上の前記長寸支脚には、前記貫通孔の下方に位置する部位に抜脱阻止片が付設されていることを特徴としている。
【００１７】
このような本発明にかかる音響再生装置においては、その設置時に、アンプボックスの上面とスピーカボックスの下面との間に形成される空隙を介して、スピーカとアンプとが相互に離間されることになる。このように、本発明にかかる音響再生装置においては、スピーカユニットの音響振動がアンプユニット側に伝達しない配置関係を確保することにより、当該スピーカユニットによって生成される音響振動がアンプボックスとアンプユニットとに直接的に伝達しなくなり、振動に起因する悪影響を低減した状態での使用が可能となる。また、本発明にかかる音響再生装置においては、スピーカを持ち上げた場合には、その長寸支脚に付設されている抜脱阻止片がアンプボックスの貫通孔に当接し、当該アンプボックスを下支えすることになる。そのため、本発明にかかる音響再生装置においては、スピーカとアンプとをともに１つの装置として同時に持ち運ぶことが可能となる。
【００１８】
ここで、本発明にかかる音響再生装置において、前記スピーカボックスに設けられる前記長寸支脚のうちの１本は、前記スピーカの重心位置を含む近傍領域の直下に垂設されているのが望ましい。これにより、本発明にかかる音響再生装置においては、音響的に望ましい状態を確保しながらも、より安定的に水平支持面に支持させることができる。
【００１９】
また、本発明にかかる音響再生装置において、前記アンプユニット側から前記スピーカユニット側へと引き出される所要本数からなるケーブルのうちの一部は、前記スピーカボックスに設けられる前記長寸支脚の内部に挿通されて前記スピーカへと引き込まれているのが望ましい。これにより、本発明にかかる音響再生装置においては、人目に晒さないようにケーブルを引き回すことが可能となり、当該音響再生装置の外観についての美感を損なうことなく適所に設置することが可能となる。
【００２０】
さらに、本発明にかかる音響再生装置において、前記スピーカには、前記アンプとともに傾倒させてその位置を移動する際に用いる車輪が、その設置時には前記水平支持面から浮いた状態となるように前記スピーカボックス側から延設された支腕部に当該支腕部の長さ方向と直交する周方向と位置移動方向とへ向けての回転を自在に軸支されているのが望ましい。このように、本発明にかかる音響再生装置においては、その設置時には水平支持面から浮いた状態となり、アンプユニットとともにスピーカを傾倒させた際に水平支持面と接触する車輪を設けることにより、当該車輪を介して位置移動を容易に行うことができる。
【００２１】
さらにまた、本発明にかかる音響再生装置において、前記貫通孔の内周面には、振動絶縁層が形成されているのが望ましい。これにより、本発明にかかる音響再生装置においては、スピーカボックスに設けられた長寸支脚を介して伝達されるスピーカユニットからの音響振動を、より確実に吸収・緩和させることができることから、アンプユニットが受けるスピーカユニットの音響振動に由来する悪影響をそれだけ低減することができる。
【００２２】
また、本発明にかかる音響再生装置において、前記スピーカが備える前記スピーカユニットは、フィールドコイルによるボイスコイルの磁気ギャップへの磁束供給が可能に形成されており、前記アンプが備える前記アンプユニットは、少なくとも、電源回路と、当該電源回路から給電される定常的動作電流で動作しているアンプ回路とを有し、前記電源回路から給電される前記アンプ回路の動作電流は、励磁用電流に代わる前記フィールドコイルを励磁させるための電流としても供給されるのが望ましい。
【００２３】
このような本発明にかかる音響再生装置においては、スピーカユニットが有するフィールドコイルに対しては、電源回路から給電される定常的動作電流で動作しているアンプ回路側のためのバイアス電流を励磁用電流の代わりに用いることができるため、スピーカ及びアンプとは別個に励磁用電源も用意することなくフィールドコイルを励磁することができる。したがって、本発明にかかる音響再生装置においては、無駄な電力消費を抑制することができ、ケーブルの引き回しを含めた装置構成の簡素化を図ることができる。
【００２４】
さらに、本発明にかかる音響再生装置においては、前記電源回路が有する平滑回路としての大容量電解コンデンサ、具体的にはπ型リップルフィルタに、少なくとも１０Ω以下の抵抗を接続することにより、ハム音の効果的な減少を図ったり、音の吐き出し効果を改善したりすることができる。
【発明の効果】
【００２５】
本発明によれば、スピーカの音響振動の影響をアンプ側が受けないようにした状態でアンプユニットとスピーカユニットとを一体化させることができるにもかかわらず、優れた可搬性も実現することができる。また、本発明によれば、アンプユニットの回路構成を工夫することにより、無駄な電力消費を抑制するとともに、ハム音を減少させた高音質の再生を実現することができる。
【発明を実施するための最良の形態】
【００２６】
以下、本発明を適用した具体的な実施の形態について図面を参照しながら詳細に説明する。
【００２７】
この実施の形態は、各別に形成されたスピーカとアンプとを、フィールドコイル型のスピーカユニット側の振動がアンプユニット側に伝達することがないように一体化させた音響再生装置である。特に、この音響再生装置は、動作電流が真空管に比べて１桁大きいというトランジスタの特徴を巧みにとらえることにより、「従来の永久磁石型スピーカに劣るフィールドコイル型スピーカ」という認識を払拭した「永久磁石型スピーカを超えるフィールドコイル型スピーカ」を実現したことによって考案されたものであり、スピーカの音響振動の影響をアンプ側が受けないようにした状態でアンプユニットとスピーカユニットとを一体化させることができるにもかかわらず、優れた可搬性も実現することができるものである。また、この音響再生装置は、無駄な電力消費を抑制するとともに、トランジスタアンプ及び大容量電解コンデンサを搭載することによってハム音も減少させ、高音質の再生を実現することができるものである。
【００２８】
図１に、音響再生装置を床面等の水平支持面に載置した際における一部を切り欠いた状態での正面図を示し、図２に、運搬時等の当該音響再生装置を持ち上げた状態での正面図を示し、図３に、図１に対応させた当該音響再生装置の底面図を示す。
【００２９】
音響再生装置１１は、スピーカボックス１３の内部に所要のスピーカユニット１７を収容してなるフィールドコイル型のスピーカ１２と、アンプボックス３３の内部に所要のアンプユニット４０を収容してスピーカ１２の下方に配設されるアンプ３２とを備える。
【００３０】
スピーカ１２は、少なくとも、所要容積の内部空間を有して木材等を含む各種素材を用いて形成された形成されたスピーカボックス１３と、このスピーカボックス１３の内部に収容された所要のスピーカユニット１７とを有する。
【００３１】
スピーカユニット１７は、永久磁石型やフィールドコイル型（電磁石型）等からなり、その振動板１８の側をスピーカボックス１３の前面１４から外部へ臨むように当該スピーカボックス１３の内部に収容されている。
【００３２】
また、スピーカボックス１３の下面１５には、その設置時に水平支持面Ｆに安定的に当接支持される同一長の少なくとも３本の長寸支脚１９が垂設されている。なお、図１乃至図３においては、３本の長寸支脚１９が設けられている様子を示している。これら長寸支脚１９は、それぞれ、アンプボックス３３の対応部位の上下方向に各別に穿設されている貫通孔３７であってその内周面に後述する振動絶縁層３８が形成されている貫通孔３７に遊挿させた状態で水平支持面Ｆに当接支持されている。また、長寸支脚１９には、それぞれ、対応する貫通孔３７のそれぞれの下方に位置する同一部位に、例えば鍔状といった当該貫通孔３７と当接する所要の形状及びサイズが付与された抜脱阻止片２０が付設されている。なお、スピーカボックス１３の上面には、図２に示すような運搬時等に把持するための取っ手Ｈが設けられている。
【００３３】
一方、アンプ３２は、少なくとも、スピーカボックス１３における下面１５側の平面サイズと略同一の平面サイズを有して金属材等を用いて形成された所要容積の内部空間を有するアンプボックス３３と、このアンプボックス３３の内部に収容された例えばＡ級アンプ回路等からなる所要の性能が付与されたアンプユニット４０とを有する。
【００３４】
また、貫通孔３７のそれぞれの近傍に位置するアンプボックス３３の下面３５には、その設置時に水平支持面Ｆに安定的に当接支持される同一長の少なくとも３本の短寸支脚３９が垂設されている。なお、図１乃至図３においては、３本の短寸支脚３９が設けられている様子を示している。
【００３５】
ここで、スピーカボックス１３の各長寸支脚１９とアンプボックス３３の各短寸支脚３９との間の相互の長さ関係は、スピーカボックス１３が当該長寸支脚１９を介して水平支持面Ｆに支持されるとともに、アンプボックス３３が当該短寸支脚３９を介して水平支持面Ｆに支持された際に、アンプボックス３３の上面３４とスピーカボックス１３の下面１５との問に所要の空隙Ｓを確保することができる関係にあるものとされる。すなわち、スピーカボックス１３に設けられる長寸支脚１９は、それぞれ、図１に明示するように、アンプボックス３３に設けられる短寸支脚３９のそれぞれの長さに当該アンプボックス３３の高さ寸法を加えた長さを少なくとも若干上回る程度の長さが付与されて形成されたものとされる。
【００３６】
また、スピーカボックス１３の各長寸支脚１９とアンプボックス３３の各短寸支脚３９との間の相互の位置関係は、例えば図３に示すように、スピーカボックス１３に設けられる長寸支脚１９のうちの１本が、スピーカ１２の重心位置を含む近傍領域の直下、すなわち、スピーカユニット１７の略直下に位置する下面１５に垂設されたものとなっている。また、残余の２本の長寸支脚１９は、スピーカボックス１３の下面１５における後側に位置する左右の各隅部１５ａ，１５ｂの近傍位置に音質を考慮して垂設されている。すなわち、音響再生装置１１においては、計３点にてスピーカ１２を安定的に支持することができるように長寸支脚１９が配設されている。
【００３７】
一方、アンプボックス３３の各短寸支脚３９は、例えば図１乃至図３に示すように、スピーカ１２の重心位置を含む近傍領域の直下に垂設されているスピーカボックス１３の長寸支脚１９の前側若しくは後側に１本垂設され、スピーカボックス１３の下面１５における後側に位置する左右の各隅部１５ａ，１５ｂの近傍に位置する２本の長寸支脚１９の外側に位置するように、アンプボックス３３の下面３５における各隅部３５ａ，３５ｂのそれぞれに残余の２本を１本ずつ垂設される。なお、これら短寸支脚３９の配置は、一例であり、短寸支脚３９は、アンプボックス３３の下面３５における所望の位置に各別に垂設されればよい。これにより、音響再生装置１１において、アンプ３２は、スピーカ１２と同様に、計３点にて安定的に支持されることになる。
【００３８】
なお、アンプボックス３３に設けられている貫通孔３７は、それぞれ、その内周面３７ａに、振動を減衰する振動絶縁の防振ゴム等の防振材や制振材からなる振動絶縁層３８が形成されている。このため、スピーカボックス１３に設けられる長寸支脚１９は、それぞれ、振動絶縁層３８に接触する状態のもとで、対応する貫通孔３７のそれぞれに遊挿されることになる。
【００３９】
さらに、アンプボックス３３内部のアンプユニット４０側からスピーカボックス１３内部のスピーカユニット１７側へと引き出される所要本数からなるケーブルのうち、例えば２本の信号用のケーブルは、スピーカボックス１３に設けられる長寸支脚１９のいずれか１本の内部に設けられた図示しないガイド孔に挿通させることにより、スピーカ１２へと引き込むことができるようになっている。また、他方の長寸支脚１９の内部には、図示しないフィールドコイルに供給する２本の電流用のケーブルを挿通させることができるようになっている。
【００４０】
また、スピーカ１２には、図４及び図５に示すように、アンプ３２とともに傾倒させてその位置を移動する際に用いる車輪２４を、その設置時には水平支持面Ｆから浮いた状態となるようにスピーカボックス１３側から対となって延設された各支腕部２３に、当該支腕部２３の長さ方向と直交する周方向と位置移動方向とへ向けての回転を自在に軸支させておくこともできる。
【００４１】
なお、図４に示す例においては、スピーカボックス１３の背面１６側における左右両側からアンプボックス３３よりもやや下方にまで到達する長さを有する支腕部２３が各別に対となって延設されており、これら各支腕部２３の先端部には、キャスターからなる車輪２４が回転自在に軸支されている。また、図５に示す例においては、スピーカボックス１３の前面１４側における左右両側からアンプボックス３３よりもやや下方にまで到達する長さを有する支腕部２３が各別に対となって延設されており、これら各支腕部２３の先端部には、キャスターからなる車輪２４が回転自在に軸支されている。なお、音響再生装置１１においては、これら図４及び図５に示すように、その位置を移動する際に把持するための把持用ハンドル２５を付設しておくこともできる。
【００４２】
このような構成からなる音響再生装置１１においては、その設置時には、アンプ３２の上にスピーカ１２が位置する配置関係のもとで、スピーカ１２に設けられた各長寸支脚１９とアンプ３２に設けられた各短寸支脚３９とを介して、これらスピーカ１２及びアンプ３２のそれぞれが水平支持面Ｆに同時に支持されることになる。
【００４３】
ここで、スピーカボックス１３の長寸支脚１９は、それぞれ、上述したように、アンプボックス３３に設けられる短寸支脚３９のそれぞれの長さに当該アンプボックス３３の高さ寸法を加えた長さを少なくとも若干上回る程度の長さが付与されて形成されたものとされる。そのため、音響再生装置１１においては、その設置時には、アンプボックス３３の上面３４とスピーカボックス１３の下面１５との間に形成される空隙Ｓを介して、スピーカ１２とアンプ３２とが相互に離間されることになる。
【００４４】
したがって、音響再生装置１１においては、当該音響再生装置１１を駆動させて再生音を楽しむ際に、スピーカ１２のスピーカユニット１７によって生成される音響振動がアンプボックス３３とアンプユニット４０とに直接的に伝達しないようにすることができる。特に、音響再生装置１１においては、貫通孔３７の内周面３７ａに振動絶縁層３８が高度に形成されている場合には、スピーカボックス１３に設けられた長寸支脚１９を介して伝達されるスピーカユニット１７からの音響振動を、より確実に吸収・緩和させることができることから、アンプユニット４０が受けるスピーカユニット１７の音響振動に由来する悪影響をそれだけ低減することができる。
【００４５】
また、音響再生装置１１においては、スピーカボックス１３に設けられた長寸支脚１９のうちの１本が、スピーカ１２の重心位置を含む近傍領域の直下に垂設されていることから、音響的に望ましい状態を確保しながらも、より安定的に水平支持面Ｆに支持させることができる。
【００４６】
さらに、音響再生装置１１においては、先に図２に示したように、取っ手Ｈを把持してスピーカ１２側を持ち上げた場合には、その長寸支脚１９に付設されている抜脱阻止片２０がアンプボックス３３の貫通孔３７に当接し、当該アンプボックス３３を下支えすることになる。そのため、音響再生装置１１においては、スピーカ１２とアンプ３２とをともに１つの装置として同時に持ち運ぶことが可能となる。
【００４７】
さらにまた、音響再生装置１１においては、アンプボックス３３の内部のアンプユニット４０側からスピーカボックス１３の内部のスピーカユニット１７側へと引き出されるケーブルのうち、例えば２本の信号用のケーブルをスピーカボックス１３に設けられる長寸支脚１９のいずれか１本の内部に挿通させてスピーカ１２へと引き込むことができ、且つ、他方の長寸支脚１９の内部にフィールドコイルに供給する２本の電流用のケーブルを挿通させることができるため、人目に晒さないようにケーブルを引き回すことが可能となり、当該音響再生装置１１の外観についての美感を損なうことなく適所に設置することができる。
【００４８】
また、音響再生装置１１においては、スピーカ１２をアンプ３２とともに傾倒させてその位置を移動する際に用いる車輪２４が、スピーカボックス１３側に付設されていることから、先に図４に示したように、スピーカ１２を後方に傾倒させたり、先に図５に示したように、スピーカ１２を前方に傾倒させたりしながら、把持用ハンドル２５を把持した状態で車輪２４を水平支持面Ｆに接触させて回転させることにより、当該音響再生装置１１の全体を所望の位置へと容易に移動させることができる。
【００４９】
特に、音響再生装置１１においては、スピーカ１２に設けられた長寸支脚１９が先に図３に示した配置関係で垂設されている場合には、図５に示した状態で車輪２４を配置しておくことにより、仮に地震等があったとしても、スピーカボックス１３の前面１４側に位置する１本の長寸支脚１９に対する補助輪（補助脚）として当該車輪２４を機能させることができるため、確実に転倒を防止することができる。
【００５０】
さて、このような構成からなる音響再生装置１１において、スピーカ１２が有するスピーカユニット１７がフィールドコイル型（電磁石型）のものである場合には、アンプ３２が有するアンプユニット４０として、例えば図６に示すような回路構成のものを備える。なお、同図中破線で示す部分が、アンプ３２がアンプボックス３３の内部に収容されたアンプユニット４０を示している。
【００５１】
すなわち、アンプユニット４０は、同図に示すように、駆動電源を供給する電源回路４１と、この電源回路４１からの給電を受けて音声信号を増幅してスピーカユニット１７のボイスコイル２６側に供給するＡ級アンプ回路等の定常的動作電流で動作しているアンプ回路５１とを有する。
【００５２】
電源回路４１は、所定の交流電源４２と、この交流電源４２から供給される交流電力の電圧を変圧する変圧器４３と、この変圧器４３を介して供給される変圧後の交流電流を直流電流に整流するブリッジ形全波整流回路４４と、このブリッジ形全波整流回路４４を経て整流された直流電流から交流成分を除去するπ型リップルフィルタ４５からなる平滑回路とを有する。この電源回路４１は、Ａ級アンプ回路等の定常的動作電流で動作しているアンプ回路５１側に駆動電流を供給することができるように当該アンプ回路５１と接続されている。
【００５３】
ここで、大容量コンデンサであるπ型リップルフィルタ４５には、抵抗Ｒを接続する、若しくは、同図に例示するように抵抗ＲとインダクタンスＬとを接続することもできる。アンプユニット４０は、π型リップルフィルタ４５に抵抗Ｒのみを接続した場合には、ハム音を減少させることができ、π型リップルフィルタ４５に抵抗ＲとインダクタンスLとを接続した場合には、望ましい音の吐き出しを得ることができる。なお、この場合、π型リップルフィルタ４５としては、１０００〜１００００μＦ程度といった１０００μＦ以上の大容量コンデンサが用いられ、抵抗Ｒとしては、０．０１〜１０Ω程度といった１０Ω以下のものが用いられる。また、インダクタンスＬとしては、得たい音質に応じて０．１〜１０Ｈの範囲で適宜選択することができる。
【００５４】
一方、Ａ級アンプ回路等の定常的動作電流で動作しているアンプ回路５１は、音声信号を入力する入力端子５２と、この入力端子５２を介して入力された入力信号を増幅するプリアンプ部５３と、このプリアンプ部５３からの出力信号をさらに増幅する出カトランジスタ５４とを有する。アンプユニット４０においては、このようなアンプ回路５１からの出力信号をスピーカユニット１７のボイスコイル２６に供給し、このボイスコイル２６に直接連結されている振動板１８を振動させることにより、音響を再生することができるように構成される。
【００５５】
なお、スピーカユニット１７が有するフィールドコイル２７は、音声出力がないときにおいても出カトランジスタ５４に流れているバイアス電流を主として含む電流であってアンプ３２に定常的に流れている電流を励磁用電流の代わりに受け、ボイスコイル２６の磁気ギャップに磁束を供給することができるように形成されている。
【００５６】
また、アンプ３２が有するアンプユニット４０としては、アンプ回路５１からの出力信号をそのままスピーカユニット１７のボイスコイル２６に供給するのではなく、例えば図７に示すように、変圧器５６を介してスピーカユニット１７のボイスコイル２６に給電するような回路構成のものであってもよい。
【００５７】
音響再生装置１１においては、このようなアンプユニット４０を備えることにより、スピーカ１２及びアンプ３２とは別個に励磁用電源も用意することなくフィールドコイル２７を励磁することができる。したがって、音響再生装置１１においては、無駄な電力消費を抑制することができ、ケーブルの引き回しを含めた装置構成の簡素化を図ることができる。
【００５８】
また、音響再生装置１１においては、π型リップルフィルタ４５に少なくとも１０Ω以下の抵抗Ｒを接続することにより、ハム音の効果的な減少を図ったり、音の吐き出し効果を改善したりすることができる。
【００５９】
このことは、真空管型アンプを用いた場合のフィールドコイルの目的とは基本的に異なるものであり、音響再生装置１１においては、トランジスタ、電界効果トランジスタ（Field Effect Transistor；ＦＥＴ）、静電誘導形トランジスタ（Static Induction Transistor；ＳＩＴ）アンプの動作電流が真空管に比べて１桁大きいこと、及び、平滑回路として大容量電解コンデンサを用いていることにより、ハム音を減少させた良好な音響を得ることが可能となる。
【００６０】
以上説明したように、本発明の実施の形態として示す音響再生装置１１においては、スピーカ１２の音響振動の影響をアンプ３２側が受けないようにした状態でアンプユニット４０とスピーカユニット１７とを一体化させることができるにもかかわらず、優れた可搬性も実現することができる。また、この音響再生装置１１においては、無駄な電力消費を抑制することができるとともに、ハム音も効果的に減少させることができ、高音質の再生を実現することができる。
【００６１】
なお、本発明は、上述した実施の形態に限定されるものではない。例えば、上述した実施の形態では、長寸支脚１９及び短寸支脚３９のそれぞれの本数が３本の場合について説明したが、本発明においては、少なくとも３本以上であれば４本若しくはそれ以上の本数設けてもよく、また、長寸支脚１９と短寸支脚３９との本数を異ならせてもよい。
【００６２】
また、スピーカ１２の重心位置を含む近傍領域の直下に垂設される長寸支脚１９は、あくまでもスピーカユニット１７の位置との関係でその垂設位置が決まるものである。したがって、音響再生装置１１においては、仮にスピーカボックス１３の前面１４側ではなく側面側に、振動板１８が位置するように収容される場合には、これに対応する重心位置側に長寸支脚１９が垂設されることになる。
【００６３】
さらに、上述した実施の形態では、全ての長寸支脚１９に抜脱阻止片２０が付設されるものとして説明したが、音響再生装置１１においては、いずれか２本の長寸支脚１９に抜脱阻止片２０を付設しておけばよい。すなわち、本発明においては、長寸支脚１９のうち少なくとも２本以上に抜脱阻止片を付設しておけば、アンプ３２側からの抜脱を阻止することができる。また、本発明においては、各貫通孔３７の内周面３７ａに必ずしも振動吸収層３８を設けなくてもよく、必要に応じて、振動吸収層３８を一切設けなかったり、一部の貫通孔３７にのみ設けておいたりしてもよい。
【００６４】
さらにまた、アンプユニット４０としては、整流回路が１つの場合でも、＋−電源の場合には、ステレオのＬチャンネルとＲチャンネルとのそれぞれのフィールドコイル双方を同時に駆動可能なものとすることができる。この具体例を図８に示す。すなわち、音響再生装置１１においては、従来のＡ級動作のＳＥＰＰ（Single
Ended Push Pu11）アンプにおける正負の供給電源用回路に用いられている＋電源側と−電源側のそれぞれの電源リップル平滑用のπ型フィルタに接続する抵抗Ｒ１，Ｒ２の代わりに、同図に示すように、Ｌチャンネルスピーカ１０１のフィールドコイル１０２とＲチャンネルスピーカ１０３のフィールドコイル１０４とをそれぞれ接続し、これらフィールドコイル１０２，１０４への電流供給を可能とすることができる。なお、同図における抵抗Ｒ１，Ｒ２は、フィールドコイル１０２，１０４が接続された場合には、除去せずに抵抗値を高くして音質の調整に用いる。
【００６５】
また、アンプユニット４０としては、＋−電源の整流回路をＬチャンネルとＲチャンネルとのそれぞれに独立に用意した回路構成の場合には、２ウェイのフィールドコイル型スピーカを駆動可能なものとすることができる。この具体例を図９に示す。なお、各チャンネルの回路は全く同一であることから、同図には、Ｌチャンネルのみを示している。すなわち、音響再生装置１１においては、＋−電源の電源リップル平滑用のπ型フィルタに接続する抵抗Ｒ１，Ｒ２の代わりに、同図に示すように、ウーファー１１１用のフィールドコイル１１２とツイーター１１３用のフィールドコイル１１４とをそれぞれ接続し、これらフィールドコイル１１２，１１４への電流供給を可能とすることができる。なお、同図における抵抗Ｒ１，Ｒ２も、フィールドコイル１１２，１１４が接続された場合には、除去せずに抵抗値を高くして音質の調整に用いることになる。なお、音響再生装置１１においては、ウーファー１１１とツイーター１１３とについて、スピーカの動作によってフィールドコイル１１２，１１４に流れる電流に若干違いが生じるが、正負電源は、電圧のみならず、例えばインピーダンスや過渡特性といった他の特性をも意図的に完全同一とはせずに異ならせることによって少量の偶数次高調波を発生させることにより、よりクリアな音質にすることも可能となる。
【００６６】
さらに、音響再生装置１１においては、例えば、各チャンネルにアンプを１台ずつ追加してマルチチャンネル方式とすることにより、アンプとウーファー及びツイーターとの間のネットワークを除去して高音質化を図ることができる。
【００６７】
このように、本発明は、その趣旨を逸脱しない範囲で適宜変更が可能であることはいうまでもない。
【図面の簡単な説明】
【００６８】
【図１】本発明の実施の形態として示す音響再生装置を水平支持面に載置した際における一部を切り欠いた状態での正面図である。
【図２】本発明の実施の形態として示す音響再生装置を持ち上げた状態での正面図である。
【図３】図１に対応させた本発明の実施の形態として示す音響再生装置の底面図である。
【図４】本発明の実施の形態として示す音響再生装置の使用状況を説明するための図であり、（ａ）は、スピーカボックスの背面側における左右両側から支腕部が各別に対となって延設された音響再生装置の斜視図であり、（ｂ）は、スピーカを後方に傾倒させた状態でその位置を移動する様子を示す図である。
【図５】本発明の実施の形態として示す音響再生装置の使用状況を説明するための図であり、（ａ）は、スピーカボックスの前面側における左右両側から支腕部が各別に対となって延設された音響再生装置の斜視図であり、（ｂ）は、スピーカを前方に傾倒させた状態でその位置を移動する様子を示す図である。
【図６】本発明の実施の形態として示す音響再生装置におけるアンプユニットの回路構成の具体例を示す図である。
【図７】本発明の実施の形態として示す音響再生装置におけるアンプユニットの回路構成の具体例を示す図であり、図６とは異なる回路構成について説明するための図である。
【図８】本発明の実施の形態として示す音響再生装置におけるアンプユニットの回路構成の具体例を示す図であり、整流回路をＬチャンネルとＲチャンネルとの双方に共通使用した回路構成について説明するための図である。
【図９】本発明の実施の形態として示す音響再生装置におけるアンプユニットの回路構成の具体例を示す図であり、正負電源のそれぞれのフィールドコイルをウーファー用とツイーター用とに適用した場合の回路構成について説明するための図である。
【符号の説明】
【００６９】
１１  音響再生装置
１２  スピーカ
１３  スピーカボックス
１４  前面
１５，３５  下面
１５ａ，１５ｂ，３５ａ，３５ｂ  隅部
１６  背面
１７  スピーカユニット
１８  振動板
１９  長寸支脚
２０  抜脱阻止片
２３  支腕部
２４  車輪
２５  把持用ハンドル
２６  ボイスコイル
２７，１０２，１０４，１１２，１１４  フィールドコイル
３２  アンプ
３３  アンプボックス
３４  上面
３７  貫通孔
３７ａ  内周面
３８  振動絶縁層
３９  短寸支脚
４０  アンプユニット
４１  電源回路
４２  交流電源
４３，５６  変圧器
４４  ブリッジ形全波整流回路
４５  π型リップルフィルタ
５１  アンプ回路
５２  入力端子
５３  プリアンプ部
５４  出カトランジスタ
１０１  Ｌチャンネルスピーカ
１０３  Ｒチャンネルスピーカ
１１１  ウーファー
１１３  ツイーター
Ｆ  水平支持面
Ｈ  取っ手
Ｌ  インダクタンス
Ｒ，Ｒ１，Ｒ２  抵抗
Ｓ  空隙
【図１】
2007259152.tif 000003
【図２】
2007259152.tif 000004
【図３】
2007259152.tif 000005
【図４】
2007259152.tif 000006
【図５】
2007259152.tif 000007
【図６】
2007259152.tif 000008
【図７】
2007259152.tif 000009
【図８】
2007259152.tif 000010
【図９】
2007259152.tif 000011